(57)【要約】【課題】本発明は、化粧鏡の鏡扉の開閉を阻害することなく、着脱自在に取付位置を移動可能な物品掛け具の提供を目的とする。【解決手段】本発明の物品掛け具は、前方が開放したボックス１１０に縦仕切り板１１１で区分けした複数の収納スペース１１２と、収納スペース１１２の前方を覆う扉１２０を有し、収納スペース１１２の左右対向する位置に設けた凹溝１１３を上下方向に所定間隔をあけて複数配置した物品収納庫に適用され、凹溝１１３に挿入されて支持される物品掛け具２において、物品掛け具２が、平面視コ字状であり、収納スペース１１２の左右対向する位置に設けられた凹溝１１３に架け渡し挿入される挿入部２１０と、挿入部２１０の一端より離隔する方向に延設され、挿入部２１０の凹溝１１３への架け渡し状態において収納スペース１１２の前面から側方に延出する掛け部２２０を備えた。【選択図】  図２
2020081737.tif 000002
【特許請求の範囲】
【請求項１】
左右の側板と天井板と底板と背板により構成された前面開放型のボックスと、該ボックスの前面側を開閉する扉を備え、前記左右の側板の相対向する部分に水平方向に延在する凹溝を上下方向に所定間隔をあけて複数設けた物品収納庫に適用され、前記凹溝に挿入されて支持される物品掛け具であって、
前記物品掛け具が、平面視コ字状であって前記左右に相対向する凹溝に架け渡し挿入される挿入部と、前記挿入部の一端より離隔する方向に延設され、前記挿入部の前記凹溝への架け渡し状態において前記ボックスの前面から前記扉の開き側の側方に延出する掛け部を備えたことを特徴とする物品掛け具。
【請求項２】
前記ボックスが縦仕切り板で複数の収納スペースに区分され、前記収納スペースの左右に位置する前記側板と前記縦仕切り板の左右に相対向する部分に前記凹溝が形成され、前記左右に相対向する前記凹溝に前記挿入部が挿入自在とされたことを特徴とする請求項１に記載の物品掛け具。
【請求項３】
適用される前記物品収納庫が化粧キャビネットであり、前記扉が鏡扉であることを特徴とする請求項１または請求項２に記載の物品掛け具。
【請求項４】
前記凹溝が前記収納スペースに設置されるトレーを固定するための凹溝と兼用されたことを特徴とする請求項１乃至請求項３のいずれか一項に記載の物品掛け具。
【請求項５】
前記掛け部がロッド部材からなり、前記掛け部の先端に前記ロッド部材の外径より径の大きな膨張部が設けられたことを特徴とする請求項１乃至請求項４のいずれか一項に記載の物品掛け具。
【請求項６】
前記挿入部に前記凹溝へ挿入可能な挿入片が相対向するように設けられ、前記挿入部の対向する前記挿入片を連接する連接部材が１以上設けられたことを特徴とする請求項１乃至請求項５のいずれか一項に記載の物品掛け具。
【請求項７】
前記掛け部に複数の屈曲部が形成され、前記凹溝に対する前記挿入部の挿入状態において、前記複数の屈曲部から、上下に少なくとも２段配置される支持部が構成され、前記少なくとも２段の支持部にドライヤーのグリップを挿入して前記ドライヤーが支持可能とされたことを特徴とする請求項１乃至請求項６のいずれか一項に記載の物品掛け具。
【請求項８】
前記物品掛け具の全体が線材で構成されていることを特徴とする請求項１乃至請求項７のいずれか一項に記載の物品掛け具。
【発明の詳細な説明】
【技術分野】
【０００１】
本発明は、化粧鏡の鏡扉などの開閉を阻害することなく、着脱自在に取付位置を移動可能とする物品掛け具に関する。
【背景技術】
【０００２】
従来、化粧鏡の前で使用するドライヤー等を一時的に仮置きする場所として、化粧鏡の棚や洗面台のボウルなどを利用し、化粧鏡などにフック等を設けて掛けておく方法が広く用いられている。
【０００３】
そこで、化粧台側面の差し込み孔にドライヤーフックの基部を差し込み、ドライヤーフックの取付部を化粧ネジで保持し、取付部にドライヤーの把手を挿入して支持する方法が開示されている。（特許文献１参照）
【０００４】
また、洗面化粧台の脇戸棚内壁面に取付けた案内板を介し引出し自在としたフックを、鏡板を開いた状態で手前に引出して、ドライヤーの把手を挿入して固定する方法が開示されている。（特許文献２参照）
【０００５】
また、化粧台に隣接されたサイドキャビネットや洗面化粧台用パーティションに取り付けられたガイドレールに沿って、スライド自在に移動するドライヤー保持部材のアーム部材に、ドライヤーのグリップ部を落とし込んで保持する方法が開示されている。（特許文献３参照）
【先行技術文献】
【特許文献】
【０００６】
【特許文献１】実開昭６２−１７８９０４号公報
【特許文献２】実開昭６２−１１７９０６号公報
【特許文献３】実開平７−３０９０３号公報
【発明の概要】
【発明が解決しようとする課題】
【０００７】
特許文献１に記載の従来技術では、化粧鏡にドライヤーフックを取付けるための突隆部に孔を設ける必要があり、ドライヤーフックを取付ける位置が固定されてしまう等の問題点があった。
さらに、ドライヤーフックを固定するための、化粧ネジ、補強板、スプリング等の複数の部材を用いるためコストアップと、化粧ネジの紛失を招く虞があるなどの問題点があった。
【０００８】
特許文献２に記載の構造では、案内板を脇戸棚内壁面に取付けてフックを引出した状態で使用するため、ハンガーを使用している間は鏡板を開いておく必要があり、この場合に鏡を鏡として利用することができない等の問題点があった。
さらに、特許文献１と同様に案内板が固定されておりフックの取付位置が限定されてしまう等の問題点があった。
【０００９】
特許文献３に記載の構造では、ドライヤー保持部材が移動することでドライヤーの位置を移動可能としているが、ミラーキャビネットの手前側に配置されているため、ミラーキャビネットを利用するに際し邪魔であり、特に鏡（扉）の開閉に支障を及ぼす問題がある。また、ガイドレールやベース部材が露出した状態で取り付けられており、見栄えと清掃性を悪化させる等の問題点があった。
また、近年ミラーキャビネットの主流である前面を３分割の鏡（扉）とし、それらの背面側を収納スペースとした３面鏡タイプでは、ドライヤー保持部材の取付けスペースを確保できない等の問題点があった。
【００１０】
本発明は、上記の従来の問題点を鑑みなされたものであって、化粧鏡の鏡（扉）などの開閉を阻害することなく、着脱自在に取付位置を移動可能な物品掛け具を提供することにある。
【課題を解決するための手段】
【００１１】
本発明は、上記課題を解決する手段として、以下の構成を有する。
（１）本発明に係る化粧鏡の物品掛け具は、左右の側板と天井板と底板と背板により構成された前面開放型のボックスと、該ボックスの前面側を開閉する扉を備え、前記左右の側板の相対向する部分に水平方向に延在する凹溝を上下方向に所定間隔をあけて複数設けた物品収納庫に適用され、前記凹溝に挿入されて支持される物品掛け具であって、前記物品掛け具が、平面視コ字状であって前記左右に相対向する凹溝に架け渡し挿入される挿入部と、前記挿入部の一端より離隔する方向に延設され、前記挿入部の前記凹溝への架け渡し状態において前記ボックスの前面から前記扉の開き側の側方に延出する掛け部を備えたことを特徴とする。
【００１２】
（２）本発明に係る化粧鏡の物品掛け具は、前記ボックスが縦仕切り板で複数の収納スペースに区分され、前記収納スペースの左右に位置する前記側板と前記縦仕切り板の左右に相対向する部分に前記凹溝が形成され、前記左右に相対向する前記凹溝に前記挿入部が挿入自在とされたことを特徴とする。
（３）本発明の物品掛け具において、適用される前記物品収納庫が化粧キャビネットであり、前記扉が鏡扉であることが好ましい。
【００１３】
（４）本発明の物品掛け具において、前記凹溝が前記収納スペースに設置されるトレーを固定するための凹溝と兼用されたことが好ましい。
（５）本発明の物品掛け具において、前記掛け部がロッド部材からなり、前記掛け部の先端に前記ロッド部材の外径より径の大きな膨張部が設けられた構成を採用できる。
【００１４】
（６）本発明の物品掛け具において、前記挿入部に前記凹溝へ挿入可能な挿入片が相対向するように設けられ、前記挿入部の対向する前記挿入片を連接する連接部材が１以上設けられたことが好ましい。
（７）本発明の物品掛け具において、前記掛け部に複数の屈曲部が形成され、前記凹溝に対する前記挿入部の挿入状態において、前記複数の屈曲部から、上下に少なくとも２段配置される支持部が構成され、前記少なくとも２段の支持部にドライヤーのグリップを挿入して前記ドライヤーが支持可能とされたことが好ましい。
（８）本発明の物品掛け具において、前記物品掛け具の全体が線材で構成されていることが好ましい。
【発明の効果】
【００１５】
本発明の物品掛け具によれば、左右の側板の相対向する位置に設けた凹溝であって、上下方向に所定の間隔で複数設けた凹溝を利用して挿入部を着脱できるので、取付位置を凹溝の設置位置に応じて上下に位置調節できる。また、掛け部をボックスの前面側の側方に突出させることができるので、掛け部で物品を支持できるとともに、挿入部の設置位置を調節し、上下に掛け部を移動させることにより、掛け部により種々の位置に物品を支持できる。
掛け部の取付位置を扉の開き側としておくならば、扉の開閉に支障は無く、扉を閉めた状態において扉の開き側の側方に掛け部を突出させることができる。このため掛け部は、扉の開閉に左右されずに物品を支持することが可能となる。
【００１６】
前記物品収納庫が化粧キャビネットであり、前記扉が鏡扉である場合、掛け部にドライヤーなどの化粧用物品を支持させておくならば、自身の姿見を行いながら掛け部を利用してドライヤーなどの化粧用物品の使用ができるので、使い勝手の良い化粧キャビネットを提供できる。
【００１７】
化粧鏡に設けられるトレー支持用の凹溝を利用するならば、着脱自在に取付け位置を移動でき、掛け部をボックスと鏡扉の隙間より外側に突出させて物品を掛けることができ、且つ、鏡扉の開閉を阻害することがない使い勝手の良い化粧鏡用の物品掛け具を提供できる。
また、収納スペースに設けられるトレー支持用の凹溝を挿入部の着脱用に兼用するならば、物品掛け具のために別途凹溝を設けることなく、トレー支持用の凹溝を利用して物品掛け具の設置ができる。この構造であるならば、物品掛け具の支持のために別途化粧ネジや補強部材、スプリング等の複数の取付け部材は不要であり、容易に実施できる特徴を有する。
【００１８】
また、掛け部の先端に膨張部を設けたことで、掛け部により支持した物品の脱落防止を図ることができる。
【００１９】
また、挿入部の対向する挿入辺を連接する連接部材を設けたことで、連接部材を利用して収納スペース内の物品を支持して収納できると共に、物品掛け具の剛性アップを図ることができる。
【００２０】
さらに、掛け部を複数屈曲させた上下２段の支持部を設けることで、２段の支持部でドライヤーのグリップを支持することができ、ハンドフリーでドライヤーを利用することが可能となり、使い勝手の良好な物品掛け具を提供できる。
【００２１】
また、線材を屈曲させて物品掛け具をシンプルに構成することで、コストアップの抑制や清掃性の向上を図ることができる。
【図面の簡単な説明】
【００２２】
【図１】本発明の第１の実施形態の物品掛け具について、化粧鏡の鏡扉を閉めた状態での使用状態を示す正面図である。
【図２】本発明の第１の実施形態の物品掛け具について、化粧鏡の鏡扉を開けた状態での使用状態を示す正面図である。
【図３】本発明の第１の実施形態の物品掛け具について、化粧鏡の鏡扉を閉めた状態での側面断面図である。
【図４】本発明の第１の実施形態の物品掛け具の斜視図である。
【図５】本発明の第２の実施形態の物品掛け具について、ドライヤーフック部の使用状態を示す斜視図である。
【図６】本発明の第１の実施形態の物品掛け具について、化粧鏡の鏡扉を閉めた状態での使用例を示す参考図である。
【図７】本発明の第１の実施形態の物品掛け具について、化粧鏡の鏡扉を開けた状態での使用例を示す参考図である。
【発明を実施するための形態】
【００２３】
「第１の実施形態」
以下、本発明の実施形態について図を挙げて詳細を説明する。
本発明品の物品掛け具１は図１に示す様に、洗面台３の上方に載置される化粧鏡１に物品掛け具２を挿入し鏡扉１２０を閉めた状態で、物品掛け具２より延設された掛け部２２０が、鏡扉１２０とボックス１１０の隙間を介し化粧鏡１の側方に突出され、この掛け部２２０を利用してドライヤー４００を掛けることができる。
【００２４】
化粧鏡１は、図１〜図３に示すように、洗面台３の上部に立設された３面鏡タイプのミラーキャビネットからなり、中央に幅の広い前面開放型の第１のボックス１Ａが設けられ、その左右側に幅の狭い前面開放型の第２のボックス１Ｂと第３のボックス１Ｃが設けられている。左側の第２ボックス１Ｂの前面側には鏡扉１２０が開閉自在に設けられ、中央の第１ボックス１Ａの前面側には鏡扉１２１が開閉自在に設けられ、右側の第３ボックス１Ｃの前面側には鏡扉１２２が設けられている。
【００２５】
図２に示すように左側の鏡扉１２０は、鏡扉１２０において鏡扉１２１に近い側の上下部に取り付けられているヒンジ部材１２２により左側開き可能なように開閉自在に支持されている。また、右側の鏡扉１２２は同様な図示略のヒンジ部材により右側開き可能なように開閉自在に支持されている。なお、鏡扉１２１においても図示略のヒンジ部材により右側開き自在あるいは左側開き自在に鏡扉１２１が取り付けられている。鏡扉１２１において右側開きあるいは左側開きについてはどちらに設定されていても良い。
【００２６】
以下、化粧鏡１とボックス１Ａ、１Ｂ、１Ｃの全体構造について、図１〜図３を基に説明する。
図１〜図３に示すように本実施形態の構造では、天板１１と底板１２と左右の側板１３とからなる前面開放型のボックス１５が構成され、このボックス１５を左右２枚の縦仕切り板１１１で３つに区分することで第１〜第３のボックス１Ａ、１Ｂ、１Ｃが構成されている。この例では、２枚の縦仕切り板１１１が第１〜第３のボックス１Ａ、１Ｂ、１Ｃの側板を兼ねる構成とされる。
【００２７】
このため、図２に示すように鏡扉１２０を開いた状態で第２のボックス１Ｂの内部を見た場合、天板１１の一部と側板１３と縦仕切り板１１１と底板１２の一部に囲まれてボックス１Ｂが区画され、第２のボックス１Ｂの内部に収納スペース１１２が設けられている。なお、第１〜第３のボックス１Ａ〜１Ｃの背面側には図３に示すように３つのボックスに共通の背板１６が設けられている。
本実施形態の化粧鏡１では、天板１１と底板１２と左右の側板１３と２枚の縦仕切り板１１１と背板１６が樹脂等により一体成形されている。
なお、第１のボックス１Ａと第３のボックス１Ｃにおいてもボックス１Ｂと同様に各部が樹脂により一体成形されているが、これらは第２のボックス１Ｂと同等構造のため、詳細説明は省略する。
【００２８】
図２に示す第２のボックス１Ｂにおいて、左側の側板１３と右側の縦仕切り板１１１の左右に相対向する同一高さ位置に凹溝１１３が形成されている。これらの凹溝１１３は、左側の側板１３と右側の縦仕切り板１１１の高さ方向に所定の間隔で複数形成されている。図２に示す構造では、左側の側板１３と右側の縦仕切り板１１１の高さ方向に数ｃｍ間隔で１０数個程度の凹溝１１３が形成されている。
図２に示す左側の側板１３に形成された凹溝１１３は、図３に示すように左側の側板１３の前面端から背面部近くまでほぼ水平に形成されている。右側の縦仕切り板１１１に形成された凹溝１１３は、右側の縦仕切り板１１１の前面端から背面部近くまでほぼ水平に形成されている。
これらの凹溝１１３は、図２に示すトレー１３０を係止する凹溝として兼用するために上下に複数設けられている。トレー１３０は、浅底の角皿形の収容部本体１３０Ａの両端部に突出片１３０Ｂを有する。このトレー１３０は、左右の突出片１３０Ｂを左右の凹溝１１３に挿入することで図２に示すように支持され、棚状の支持部を構成する。
【００２９】
図２に示すように本実施形態に係る物品掛け具２が一番上の左右の凹溝１１３に支持されている。
物品掛け具２は、図４の斜視図に示すように平面視コ字型の挿入部２１０とこの挿入部２１０の一端から側方に延出された掛け部２２０からなる。挿入部２１０は、平行に対向配置された丸棒状の挿入片２１１、２１１と、これら挿入片２１１の端部どうしを連接した丸棒状の連接片２１２を備えた平面視コ字型に構成されている。また、相対向する挿入片２１１、２１１の長さ方向中央部どうしを接続した丸棒状の連接片２４０が設けられている。
【００３０】
一方の挿入片２１１の先端部に該挿入片２１１に対し直角に、かつ、連接片２１２と平行な方向に延在するように丸棒状の掛け部２２０が形成されている。掛け部２２０は、この実施形態では挿入片２１１と同等程度の長さに形成され、その先端部に球状の膨張部２３０が形成されている。膨張部２３０は、掛け部２２０の外径よりも大きな直径を有するので、掛け部２２０の先端部から周囲に膨出するように形成されている。
【００３１】
前記挿入片２１１の長さは、側板１３あるいは縦仕切り板１１１の奥行き方向に沿う凹溝１１３の長さと同程度に形成されている。連接片２１２の長さは側板１３と縦仕切り板１１１の間隔に対し各々の凹溝１１３の溝深さを加算した長さと同程度に形成されている。また、挿入片２１１の太さは前記凹溝１１３の溝幅と同程度に形成されている。
このため、物品掛け具２は、左右の挿入片２１１を左右の凹溝１１３に挿入することができ、その状態で掛け部２２０を第２のボックス１Ｂの前面側に沿わせることができ、かつ、掛け部２２０の先端側を例えば図２に示すように第２のボックス１Ｂの左側方に延在させることができる。
なお、図４に示すように挿入片２１１の先端側にシリコンチューブからなる滑り止め部材２５０が装着されている。この滑り止め部材２５０は凹溝１１３に挿入片２１１を挿入した状態で凹溝１１３に対する挿入片２１１の遊びを無くして挿入片２１１を凹溝１１３に嵌め込みできようにする。
【００３２】
図２は鏡扉１２０を開けた状態で物品掛け具２を凹溝１１３間に装着した状態を示すが、図１に示すように鏡扉１２０を閉めた状態ではボックス１Ｂの側方に掛け部２２０のみが水平に突出した状態となる。この状態において鏡扉１２０は側板１３の前面との間に掛け部２２０を挟んだ状態となるが、鏡扉１２０は完全に閉じた状態となるため、化粧鏡１の使用に問題は無い。
完全に閉じた状態とは、鏡扉１２０において、鏡扉１２０の開き側の端部裏面とボックス１Ａ、１Ｃの開口部との間に、鏡扉１２０を閉じた状態を維持するための磁石等の係止具を設けた構造であって、鏡扉１２０を閉じた状態において鏡扉１２０の裏面とボックス１Ａ、１Ｃの開口部との間に若干の隙間が形成される場合に鏡扉１２０を完全に閉じた状態にできる、の意味となる。
この場合、前記隙間の幅以下の外径の線材を用いて物品掛け具２を構成するならば、鏡扉１２０を完全に閉じることができる。
【００３３】
従って、鏡扉１２０を見ながらドライヤー４００にて髪の毛の乾燥やセットの途中や終了時に鏡扉１２０を開くことなく、ドライヤー４００の引っ掛け部を掛け部２２０に掛けることができ、化粧鏡１での使い勝手を向上させることができる。
【００３４】
図２に示す様に、鏡扉１２０を開いた状態で、物品掛け具２の挿入部２１０が、収納スペース１１２の左右の凹溝１１３に挿入され、挿入部２１０および/または連接片２４０に図２、図４に示すＳ字フック２６０等を介して、カールドライヤー４１０やヘアバンド４２０を掛けることができる。
【００３５】
従って、収納スペース１１２内に皿形のトレー１３０では収納に不向きな長尺品のカールドライヤー４１０や、ヘアバンド４２０などを効率良く収納することができる。
【００３６】
また、凹溝１１３は収納スペース１１２の上下方向に複数設けられてトレー１３０の取付け用と共用化されているため、収納スペース１１２内へ収納する物品により、物品掛け具２とトレー１３０を複数組み合わせて適時選択することで、化粧鏡１の収納方法の使い勝手を向上させることができる。
【００３７】
さらに、図１と図２および図３で示す様に、物品掛け具２は鏡扉１２０と第２のボックス１Ｂの前面との隙間を利用し、掛け部２２０を貫通配置することができるので、鏡扉１２０の開閉を阻害することがなく、物品掛け具２を利用しながら鏡扉１２０の開閉を行うことができ、化粧鏡１の使い勝手の低下を招く虞がない。
【００３８】
図３に示す様に、挿入部２１０をボックス１１０の背板１６より前方の位置にすることで、Ｓ字フック２６０等の補助具を利用することができ、さらに、連接片２４０を設けることで収納量をアップさせることができる。
【００３９】
図４に示す様に、物品掛け具２の基本構成部材は、コ字状の挿入部２１０の一端より延設された掛け部２２０であり、この掛け部２２０を利用して物品を掛けることができる。
また、掛け部２２０の先端部に膨張部２３０を設けることで物品が脱落することを防止することができる。尚、図４において膨張部２３０の形状は球体であるが、棒状や円盤状の形状を採用することもできる。
また、挿入部２１０の対向する挿入片２１１を連接する連接片２４０を１以上設けることで、掛け部２２０に重量物を掛けた場合に挿入部２１０がねじれることを抑制することができ、物品掛け具２に重量物を安定して掛けることができる。
【００４０】
本発明品の物品掛け具２は、ステンレス鋼やアルミニウムなどからなる金属線材を曲げ加工により成形して構成することができ、コストアップの抑制や清掃性の向上を図ると共に、他の付属部品やスライド機構が必要ではなく、シンプルで耐久性に優れている。
なお、本発明の物品掛け具２は硬質樹脂やセラミックスから構成されていても良い。
【００４１】
「第２の実施形態」
本発明品の物品掛け具２の掛け部２２０においては、図５に示す様に複数屈曲させて上下２段の支持部２７１、２７３を有する支持部２７０を設け、図５の２点鎖線で示すようにドライヤー４００のグリップ４０１を挿入して支持することで、ドライヤー４００をハンドフリーで使用することができる。
【００４２】
第２の実施形態の物品掛け具２における掛け部２２０は、掛け部２２０の先端部に平面視コ字型に屈曲させて設けた第１の支持部２７１を有し、第１の支持部２７１の先端部から上方に延出させて設けた延出片２７２を有し、延出片２７２の上端に平面視ロ字型に屈曲させて設けた第２の支持部２７３を有する。
【００４３】
第１の支持部２７１と第２の支持部２７３は、金属線材を折り曲げ加工して構成されているので、ドライヤー４００のグリップ４０１を挿入して支持するために充分な強度を有する。また、挿入片２１１、２１１に対し連接片２４０を設けて挿入部２１０をねじれに強い構成としているため、ドライヤー４００のグリップ４０１を挿入して安定支持することができる。
例えば、第２の実施形態の物品掛け具２を第２のボックス１Ｂあるいは第３のボックス１Ｃに設けられている複数の凹溝１１３のうち、ドライヤー使用者の頭部の高さ位置に設けられている凹溝１１３に装着することが好ましい。この高さの凹溝１１３に第２の実施形態の物品掛け具２を装着することで、使用者の頭部近くにドライヤー４００を支持できるので、ドライヤー４００をハンドフリーで使用する場合に楽な姿勢で頭髪の手入れができる。
【００４４】
図６は本発明の第１の実施形態の物品掛け具２を、化粧鏡１の第３のボックス１Ｃに取り付けるとともに、鏡扉１２２を閉めた状態で、ドライヤー４００を右側に突出した掛け部２２０に掛けた状態を示す参考図である。
【００４５】
図７は本発明の第１の実施形態の物品掛け具２を、化粧鏡１の右側の第３のボックス１Ｃに取り付けるとともに、化粧鏡１の鏡扉１２０を開けた状態で、掛け部２２０にＳ字フック２６０を介して、カールドライヤー４１０を掛けた状態を示す参考図である。
【００４６】
図６、図７に示すように物品掛け具２は、右側の第３のボックス１Ｃに取り付けることが可能であり、図１、図２に示すように左側の第２のボックス部１Ｂに取り付けることも可能である。従って、物品掛け具２は図４に示す方向に、あるいは、その左右反対向きとするように方向を反転させることで、左右のどちら側のボックス１Ｂ、１Ｃにも適用することができる。
【００４７】
化粧鏡１は、その右側あるいはその左側に洗濯機等の水廻り設備が設置されていることがあるので、どちらか一方に物品掛け具２を装着できないことがある。このため、物品掛け具２は化粧鏡１の左右どちら側にも装着できることが望ましい。これにより、左右に設置される設備の状況に応じて使い分けができる。
また、化粧鏡１は左右のどちらか一方に仕切り壁や棚が設けられる場合もあるが、物品掛け具２の掛け部２２０が仕切壁や棚と干渉しないのであれば、あるいは前述した水廻り設備と干渉しないのであれば、設置可能である。
【００４８】
なお、上述した実施形態では化粧鏡１のボックス１５を縦仕切り板１１１により３つの収納スペースに区分した構造に適用したが、化粧鏡が１ボックスタイプであって、縦仕切り板により区切られておらず、左右の側板に相対向するように凹溝が形成された化粧鏡に本発明を適用できるのは勿論である。また、化粧鏡１のボックス１５を１枚の縦仕切り板で２つに区分した構造に適用することもできる。
ただし、鏡扉開閉用のヒンジ取付側ではなく、鏡扉の開放側に物品掛け具２の掛け部２２０を突出させることが必要となる。これにより、鏡扉の開閉を阻害することなく物品掛け具２を利用できることとなる。
【００４９】
また、上述の実施形態では、化粧鏡１に本発明の物品掛け具２を適用した形態についてのみ説明したが、本発明の物品掛け具２を鏡扉ではなく鏡を有しない通常の扉を有する物品収納庫一般に適用しても良いのは勿論である。
この場合も、左右の側板あるいは縦仕切り板に設けられている凹溝を利用し、物品掛け具２を取り付けることができる。開閉扉の開き側に掛け部２２０を突出させることで、化粧鏡１に限らず、一般的な物品収納庫において物品掛け具２を利用し、物品の支持ができる。
【符号の説明】
【００５０】
１…化粧鏡（物品収納庫）、１Ａ…第１のボックス、１Ｂ…第２のボックス、
１Ｃ…第３のボックス、１１…天板、１２…底板、１３…側板、１５…ボックス、
１６…背板、
１１０…ボックス、１１１…縦仕切り板、１１２…収納スペース、
１１３…凹溝、１２０、１２１、１２２…鏡扉、１３０…トレー、
２…物品掛け具、２１０…挿入部、２２０…掛け部、２３０…膨張部、
２４０…連接部材、２５０…シリコンチューブ（滑り止め部材）、
２６０…Ｓ字フック、２７０…支持部、２７１…第１の支持部、
２７３…第２の支持部、
３…洗面台、４００…ドライヤー、４０１…グリップ、４１０…カールドライヤー、
４２０…ヘアバンド。
【図１】
2020081737.tif 000003
【図２】
2020081737.tif 000004
【図３】
2020081737.tif 000005
【図４】
2020081737.tif 000006
【図５】
2020081737.tif 000007
【図６】
2020081737.tif 000008
【図７】
2020081737.tif 000009